(57)【要約】【課題】  生体情報測定装置の測定値だけでなく、測定時刻に基き、季節や測定時刻に応じた健康管理のアドバイスや測定時刻に見合った広告などの情報を提供可能とする生体情報を活用した健康管理方法およびシステムを提供すること。【解決手段】  生体情報の測定値と使用者情報と時刻情報とを受信するステップと、受信した情報を記憶するステップと、生体情報に基いてアドバイス情報データベースから、対応するアドバイス情報を検索抽出するステップと、前記時刻情報と生体情報とに基いてサービス情報データベースから、対応するサービス情報を検索抽出するステップと、抽出されたアドバイス情報とサービス情報を送信手段から送信する送信ステップとからなる健康管理方法およびそれを実施するための健康管理システム。【選択図】        図１
2005284910.tif 000002
【特許請求の範囲】
【請求項１】
測定装置により測定された、尿糖などの生体情報測定値に基いて健康管理情報を提供する健康管理方法であって、
尿糖などの生体情報を測定する生体情報測定手段からの測定値と、時計手段からの時間情報とを受信するステップと、
受信した情報を第一記憶手段に記憶する第一記憶ステップと、
前記第一記憶手段の時間情報と生体情報に基いて生体情報の値とそれに対応した健康に関するアドバイス情報を蓄積したアドバイス情報データベースから、対応するアドバイス情報を検索抽出するアドバイス情報検索ステップと、
検索抽出されたアドバイス情報を第二記憶手段に記憶する第二記憶ステップと、
第二記憶手段のアドバイス情報を送信手段から送信する送信ステップと
を有してなることを特徴とする健康管理方法。
【請求項２】
測定装置により測定された、尿糖などの生体情報測定値に基いて健康管理情報を提供する健康管理方法であって、
尿糖などの生体情報を測定する生体情報測定手段からの測定値と、使用者を特定する使用者特定手段からの使用者情報と、時計手段からの時間情報とを受信するステップと、
受信した情報を第一記憶手段に記憶する第一記憶ステップと、
前記第一記憶手段の時間情報と生体情報に基いて、生体情報の値とそれに対応した健康に関するアドバイス情報を蓄積したアドバイス情報データベースから、対応するアドバイス情報を検索抽出するアドバイス情報検索ステップと、
前記第一記憶手段の生体情報と過去の測定値の履歴情報を蓄積した測定値履歴情報データベースからの情報とを比較して、健康状態の傾向を判定する健康状態判定ステップと、
この判定結果に基いて、健康状態の傾向情報を蓄積した傾向コメント情報データベースから、対応する傾向コメント情報を検索する傾向コメント情報検索ステップと、
検索抽出されたアドバイス情報と健康状態の傾向情報を第二記憶手段に記憶する第二記憶ステップと、
第二記憶手段のアドバイス情報を送信手段から送信する送信ステップと
を有してなることを特徴とする健康管理方法。
【請求項３】
測定装置により測定された、尿糖などの生体情報測定値に基いて健康管理情報を提供する健康管理方法であって、
尿糖などの生体情報を測定する生体情報測定手段からの測定値と、時計手段からの時間情報とを受信するステップと、
受信した情報を第一記憶手段に記憶する第一記憶ステップと、
前記第一記憶手段の時間情報と生体情報に基いて、時間情報、生体情報の値、及びそれに対応した健康に関するアドバイス情報を蓄積したアドバイス情報データベースから、対応するアドバイス情報を検索抽出するアドバイス情報検索ステップと、
前記第一記憶手段の時間情報に基いて、時間情報と時間情報に対応した広告などのサービス情報を蓄積した日時関連情報データベースから、対応するサービス情報を検索抽出するサービス情報検索ステップと、
検索抽出されたアドバイス情報とサービス情報を第二記憶手段に記憶する第二記憶ステップと、
第二記憶手段のアドバイス情報とサービス情報を送信手段から送信する送信ステップとを有してなることを特徴とする健康管理方法。
【請求項４】
尿糖などの生体情報を測定し、その測定値に基いて健康管理情報を提供する健康管理システムであって、
尿糖などの生体情報を測定する生体情報測定手段と、
使用者を特定する使用者特定手段と、
使用者特定手段から使用者情報を入力する使用者情報入力手段と、
生体情報の測定値、使用者情報などの情報を受信する受信手段と、
時間情報を出力する時計手段と、
使用者情報、生体情報測定装置で測定された生体情報測定値及び時計手段からの時間情報を記憶する第一記憶手段と、
時間情報と生体情報の値とそれに対応した健康に関するアドバイス情報を蓄積したアドバイス情報データベースと、
時間情報と時間情報に対応した広告などのサービス情報を蓄積した日時関連情報データベースと、
前記第一記憶手段の生体情報に基いて前記アドバイス情報データベースから、対応する健康に関するアドバイス情報を検索抽出するアドバイス情報検索手段と、
前記第一記憶手段の時間情報と生体情報とに基いて前記日時関連情報データベースから、対応するサービス情報を検索抽出するサービス情報検索手段と、
検索抽出されたアドバイス情報とサービス情報を記憶する第二記憶手段と、
第二記憶手段のアドバイス情報とサービス情報を送信する送信手段と、
送信されたアドバイス情報とサービス情報を出力する出力手段と
を具備してなることを特徴とする健康管理システム。
【請求項５】
測定装置により測定された、尿糖などの生体情報測定値に基いて健康管理情報を提供する健康管理システムであって、
尿糖などの生体情報を測定する生体情報測定手段からの測定値と、使用者を特定する使用者特定手段からの使用者情報と、時計手段からの時間情報を記憶する第一記憶手段と、
時間情報と生体情報の値とそれらに対応した健康に関するアドバイス情報を蓄積したアドバイス情報データベースと、
時間情報と時間情報に対応した広告などのサービス情報を蓄積した日時関連情報データベースと、
前記第一記憶手段の時間情報と生体情報に基いて前記アドバイス情報データベースから、対応するアドバイス情報を検索抽出するアドバイス情報検索手段と、
前記第一記憶手段の時間情報に基いて前記日時関連情報データベースから、対応するサービス情報を検索抽出するサービス情報検索手段と、
検索抽出されたアドバイス情報とサービス情報を記憶する第二記憶手段と、
第二記憶手段のアドバイス情報とサービス情報を送信する送信手段と
を具備してなることを特徴とする健康管理システム。
【請求項６】
尿糖などの生体情報を測定し、その測定値に基いて健康管理情報を提供する健康管理システムであって、
尿糖などの生体情報を測定する生体情報測定手段と、
使用者を特定する使用者特定手段から使用者情報を入力する使用者情報入力手段と、
時間情報を出力する時計手段と、
使用者情報、生体情報測定装置で測定された生体情報測定値及び時計手段からの時間情報を記憶する第一記憶手段と、
時間情報と生体情報の値とそれらに対応した健康に関するアドバイス情報を蓄積したアドバイス情報データベースと、
時間情報と時間情報に対応した広告などのサービス情報を蓄積した日時関連情報データベースと、
前記第一記憶手段の時間情報と生体情報に基いて前記アドバイス情報データベースから、対応するアドバイス情報を検索抽出するアドバイス情報検索手段と、
前記第一記憶手段の時間情報に基いて前記日時関連情報データベースから、対応するサービス情報を検索抽出するサービス情報検索手段と、
検索抽出されたアドバイス情報とサービス情報を記憶する第二記憶手段と、
前記アドバイス情報とサービス情報を出力する出力手段と
を具備してなることを特徴とする健康管理システム。
【請求項７】
請求項４、５または６に記載の健康管理システムであって、さらに、前記アドバイス情報データベースまたはサービス情報データベースのデータを更新する更新手段を具備してなることを特徴とする健康管理システム。
【請求項８】
請求項４、５、６または７に記載の健康管理システムであって、前記生体情報測定手段は、温水洗浄便座と一体的に設けられていることを特徴とする健康管理システム。
【請求項９】
請求項４、５、６または７に記載の健康管理システムであって、前記生体情報測定手段は、温水洗浄便座を操作するリモコンと一体的に設けられていることを特徴とする健康管理システム。
【請求項１０】
請求項９に記載の健康管理システムであって、前記出力手段は、温水洗浄便座を操作するリモコンに設けられていることを特徴とする健康管理システム。
【発明の詳細な説明】
【技術分野】
【０００１】
本発明は、尿糖などの生体情報を測定する生体情報測定装置の測定値等に基いて健康に関するアドバイス情報などを提供できる健康管理方法およびシステムに関する。
【背景技術】
【０００２】
従来、コンピュータシステムを用いた健康管理システムとして、複数の施設又は家庭に設置され、利用者の生体情報及び健康度を測定する生体情報測定器及び通信機能を有する測定端末装置と、前記測定端末装置側に設置された出力端末装置と、医療機関側に設置された中央管理装置と、前記測定端末装置及び出力端末装置と前記中央管理装置とを接続する通信手段とから構成され、前記中央管理装置は、前記測定端末装置より受信した前記利用者の生体情報及び健康度のデータを記憶する測定データファイルと、前記利用者の生体情報及び健康度を前記医療機関により評価したデータを前記出力端末装置に送信する送信手段及び表示手段とを備え、前記出力端末装置は、前記中央管理装置より受信したデータを表示する表示手段を備えている、通信型健康管理システムにおいて、前記中央管理装置が、広告情報を健康度パターンに応じてグループに分け広告コードで整理された広告情報ファイルと、測定された前記利用者の健康度に応じて必要とされる広告情報を前記広告情報ファイルから自動検索する広告情報検索手段と、検索された広告情報を測定された前記利用者の生体情報及び健康度のデータと合わせて健康度結果報告書を作成する表示手段と、前記健康度結果報告書に前記医療機関の評価を入力する入力手段を具備し、前記出力端末装置が、前記中央管理装置より受信した前記健康度結果報告書のデータをプリントアウトする表示手段を具備したものが提案されている（例えば、下記の特許文献１）。
【０００３】
しかしながら、この装置は生体情報測定器による測定値のみを利用するものであるため、使用者に測定時の年月日及び時刻に応じた季節や測定時刻に応じた健康管理のアドバイスや広告などの表示情報を提供できなかった。また、例えば測定時に薬局の広告が表示されてその薬局を利用しようとしても、その時点では広告の薬局は既に閉店していることがあるなど、測定器の使用者にとっては不満の残るものであった。
【０００４】
【特許文献１】特開２００２−１０９０６７号公報
【発明の開示】
【発明が解決しようとする課題】
【０００５】
本発明は、上記問題を解決するためになされたもので、本発明の課題は、生体情報測定装置の測定値だけでなく、測定時刻に基き、季節や測定時刻に対応した健康管理のアドバイスや広告などの情報を提供可能とする健康管理方法およびシステムを提供するものである。
【課題を解決するための手段】
【０００６】
本発明の生体情報に基く健康管理方法は、測定装置により測定された、尿糖などの生体情報測定値に基いて健康管理情報を提供する健康管理方法であって、尿糖などの生体情報を測定する生体情報測定手段からの測定値と、時計手段からの時間情報とを受信するステップと、受信した情報を第一記憶手段に記憶する第一記憶ステップと、前記第一記憶手段の時間情報と生体情報に基いて生体情報の値とそれに対応した健康に関するアドバイス情報を蓄積したアドバイス情報データベースから、対応するアドバイス情報を検索抽出するアドバイス情報検索ステップと、検索抽出されたアドバイス情報を第二記憶手段に記憶する第二記憶ステップと、第二記憶手段のアドバイス情報を送信手段から送信する送信ステップとからなるものである。
【０００７】
また、本発明の第２の健康管理方法は、測定装置により測定された、尿糖などの生体情報測定値に基いて健康管理情報を提供する健康管理方法であって、尿糖などの生体情報を測定する生体情報測定手段からの測定値と、使用者を特定する使用者特定手段からの使用者情報と、時計手段からの時間情報とを受信するステップと、受信した情報を第一記憶手段に記憶する第一記憶ステップと、前記第一記憶手段の時間情報と生体情報に基いて、生体情報の値とそれに対応した健康に関するアドバイス情報を蓄積したアドバイス情報データベースから、対応するアドバイス情報を検索抽出するアドバイス情報検索ステップと、前記第一記憶手段の生体情報と過去の測定値の履歴情報を蓄積した測定値履歴情報データベースからの情報とを比較して、健康状態の傾向を判定する健康状態判定ステップと、この判定結果に基いて、健康状態の傾向情報を蓄積した傾向コメント情報データベースから、対応する傾向コメント情報を検索する傾向コメント情報検索ステップと、検索抽出されたアドバイス情報と健康状態の傾向情報を第二記憶手段に記憶する第二記憶ステップと、第二記憶手段のアドバイス情報を送信手段から送信する送信ステップと
からなるようにしてもよい。
【０００８】
さらに、本発明の第３の健康管理方法は、測定装置により測定された、尿糖などの生体情報測定値に基いて健康管理情報を提供する健康管理方法であって、尿糖などの生体情報を測定する生体情報測定手段からの測定値と、時計手段からの時間情報とを受信するステップと、受信した情報を第一記憶手段に記憶する第一記憶ステップと、前記第一記憶手段の時間情報と生体情報に基いて生体情報の値とそれに対応した健康に関するアドバイス情報を蓄積したアドバイス情報データベースから、対応するアドバイス情報を検索抽出するアドバイス情報検索ステップと、前記第一記憶手段の時間情報に基いて、時間情報と時間情報に対応した広告などのサービス情報を蓄積した日時関連情報データベースから、対応するサービス情報を検索抽出するサービス情報検索ステップと、検索抽出されたアドバイス情報とサービス情報を第二記憶手段に記憶する第二記憶ステップと、第二記憶手段のアドバイス情報とサービス情報を送信手段から送信する送信ステップとからなるようにしてもよい。
【０００９】
次に、本発明の第１の健康管理システムは、尿糖などの生体情報を測定し、その測定値に基いて健康管理情報を提供する健康管理システムであって、尿糖などの生体情報を測定する生体情報測定手段と、使用者を特定する使用者特定手段と、使用者特定手段から使用者情報を入力する使用者情報入力手段と、生体情報の測定値、使用者情報などの情報を受信する受信手段と、時間情報を出力する時計手段と、使用者情報、生体情報測定装置で測定された生体情報測定値及び時計手段からの時間情報を記憶する第一記憶手段と、時間情報と生体情報の値とそれに対応した健康に関するアドバイス情報を蓄積したアドバイス情報データベースと、時間情報と時間情報に対応した広告などのサービス情報を蓄積した日時関連情報データベースと、前記記憶手段の生体情報に基いて前記アドバイス情報データベースから、対応する健康に関するアドバイス情報を検索抽出するアドバイス情報検索手段と、前記第一記憶手段の時間情報と生体情報とに基いて前記サービス情報データベースから、対応するサービス情報を検索抽出するサービス情報検索手段と、検索抽出されたアドバイス情報とサービス情報を記憶する第二記憶手段と、第二記憶手段のアドバイス情報とサービス情報を送信する送信手段と、送信されたアドバイス情報とサービス情報を出力する出力手段とを具備してなるものである。
【００１０】
このシステムは、生体情報の測定装置と情報の処理を行なうサーバとがネットワークを介して接続されている場合に好適に採用することができる。
【００１１】
前記時計手段は、端末の測定装置本体に設けてもよいし、測定装置をネットワークを介して接続したサーバ側に設けても良い。
【００１２】
本発明の第２の健康管理システムは、測定装置により測定された、尿糖などの生体情報測定値に基いて健康管理情報を提供する健康管理システムであって、尿糖などの生体情報を測定する生体情報測定手段からの測定値と、使用者を特定する使用者特定手段からの使用者情報と、時計手段からの時間情報とを記憶する第一記憶手段と、時間情報と生体情報の値とそれらに対応した健康に関するアドバイス情報を蓄積したアドバイス情報データベースと、時間情報と時間情報に対応した広告などのサービス情報を蓄積した日時関連情報データベースと、前記第一記憶手段の時間情報と生体情報に基いて前記アドバイス情報データベースから、対応するアドバイス情報を検索抽出するアドバイス情報検索手段と、前記第一記憶手段の時間情報に基いて前記サービス情報データベースから、対応するサービス情報を検索抽出するサービス情報検索手段と、検索抽出されたアドバイス情報とサービス情報を記憶する第二記憶手段と、第二記憶手段のアドバイス情報とサービス情報を送信する送信手段とを具備してなるものである。
【００１３】
このシステムは、生体情報の測定装置から受信した情報の処理をサーバ内で行なう場合に好適に採用することができる。
【００１４】
さらに、本発明の第３の健康管理システムは、尿糖などの生体情報を測定し、その測定値に基いて健康管理情報を提供する健康管理システムであって、尿糖などの生体情報を測定する生体情報測定手段と、使用者を特定する使用者特定手段から使用者情報を入力する使用者情報入力手段と、時間情報を出力する時計手段と、使用者情報、生体情報測定装置で測定された生体情報測定値及び時計手段からの時間情報を記憶する第一記憶手段と、時間情報と生体情報の値とそれらに対応した健康に関するアドバイス情報を蓄積したアドバイス情報データベースと、時間情報と時間情報に対応した広告などのサービス情報を蓄積したサービス情報データベースと、前記第一記憶手段の時間情報と生体情報に基いて前記アドバイス情報データベースから、対応するアドバイス情報を検索抽出するアドバイス情報検索手段と、前記第一記憶手段の時間情報に基いて前記サービス情報データベースから、対応するサービス情報を検索抽出するサービス情報検索手段と、検索抽出されたアドバイス情報とサービス情報を記憶する第二記憶手段と、前記アドバイス情報とサービス情報を出力する出力手段とを具備してなるものである。
【００１５】
このシステムは、生体情報測定装置の本体内に搭載して、スタンドアロンで稼動する場合にも好適に採用することができるものである。
【００１６】
さらに、以下の手段を追加すると、より好ましい。
【００１７】
上記の健康管理システムであって、さらに、前記アドバイス情報データベースまたはサービス情報データベースのデータを更新する更新手段を追加する。
【００１８】
また、前記の健康管理システムの内、前記生体情報測定装置１０を温水洗浄便座と一体的に設けるようにしてもよい。
【００１９】
さらに、指先を置くだけで血液中の血糖値を測定することができる小型の装置もあり、これを適用して、前記生体情報測定装置１０を温水洗浄便座を操作するリモコンと一体的に設けるようにしてもよい。
【００２０】
加えて、前記健康管理システムの前記出力手段を、温水洗浄便座を操作するリモコンに設けるようにしてもよい。
【発明の効果】
【００２１】
従って、本発明によれば、時間情報と生体情報の測定値に基いて、必要な情報を検索、抽出するようにしたので、適切な健康状態についてのアドバイス、そのときの健康状態に応じたコマーシャル情報などのアドバイス情報を出力することができる。
【００２２】
さらに、季節や測定時刻に応じた健康管理のアドバイスや測定時刻に見合った広告などのサービス情報、もしくは過去の測定履歴と比較した健康状態に関する傾向コメント情報を測定装置の使用者等に提供することができる。
【発明を実施するための最良の形態】
【００２３】
以下本発明の実施の形態を具体的に説明する。
【実施例】
【００２４】
図１は、本発明の一実施形態を示す健康管理システムの全体構成図である。
【００２５】
本発明の第１の実施例としては、以下のように構成している。
【００２６】
尿糖や潜血などの生体情報を測定する生体情報測定装置１０、例えば、尿糖の測定装置がインターネット、会社内ネットワークまたは家庭内ネットワーク４０を介して、サーバ５０と接続している。
【００２７】
生体情報測定装置１０には、尿糖などの生体情報を測定する生体情報測定手段１１と、ＩＤカードなどの使用者を特定する使用者特定手段１２と、使用者特定手段１２から使用者情報をカードリーダなどを使って入力する使用者情報入力手段１３と、測定した年月日及び時刻の情報を出力する時計手段１４と、測定した場所に関する情報を主力する測定地情報出力手段１５と、生体情報の測定値、使用者情報などの情報をサーバ５０とデータのやりとりを行う送受信手段１６と、サーバ５０から受信したデータや時間情報を出力する出力手段１７とを搭載している。
【００２８】
前記生体情報測定装置１０を温水洗浄便座と一体的に設けるようにしてもよい。
【００２９】
さらに、指先を置くだけで血液中の血糖値を測定することができる小型の測定装置を適用して、前記生体情報測定装置１０を温水洗浄便座を操作するリモコンと一体的に設けるようにしてもよい。
【００３０】
加えて、前記健康管理システムの前記出力手段１７を、温水洗浄便座を操作するリモコンに設けるようにしてもよい。この場合、出力手段１７としては、液晶画面とする。または、必要に応じて印刷できるように、リモコンにプリンタ昨日を搭載するようにしてもよい。
【００３１】
次に、サーバ５０の構成を以下に説明する。サーバ５０には、ネットワーク４０から送られてきたデータを受信する受信手段５１と、データを送信する送信手段５２が設けられている。
【００３２】
第一記憶手段５３は、受信した測定時刻や尿糖値などの生体情報データなどを一時的に記憶するものである。
【００３３】
アドバイス情報データベース５４は、時間情報と生体情報の値及びそれらに対応した健康に関するアドバイス情報を蓄積したものであり、その内容を図２にあらわしている。
【００３４】
アドバイス情報データベース５４は、図２の左側の「測定条件」欄にある、「測定時刻」と食前か食後かの「判定」とからなる食前・食後判定テーブル５５を含むものであり、「測定時刻」に基いて判定した食前・食後の判定と、第一記憶手段５３からの生体情報の値、及びそれらに対応した健康に関するアドバイス情報「表示」、「行為・サービス・商品」、「ノベリティー」の各種情報を蓄積している。
【００３５】
アドバイス情報検索手段５６は、第一記憶手段５３からの生体情報の測定値と、食前・食後判定手段５５からの判定結果に基いて、対応する健康に関するアドバイス情報を検索抽出し、その結果を出力する。
【００３６】
例えば、時間情報の中の時刻データが９：００で、尿糖の測定値が９０ｍｇ／ｄＬとすると、図２において、「測定時刻」に対応する「判定」の内容は食前・食後判定テーブル５５により「食後」となる。すると、「尿糖」欄において、「表示」の内容として「今回は異常を発見できませんでした。次回は食後1〜2時間後に測定しましょう。来週も測定できますか？」が選択される。それに対応する「判定」の内容は「陰性」となり、図２中央の「行為・サービス・商品」欄の「判定」が「陰性」に対応する「分類」の「内容」がそれぞれ選択される。即ち、「医療行為」に対応する「気になる症状はありますか？定期健康診断なら充実の検査設備  ○○○○病院  ＴＥＬ ０９３−＊＊＊―＊＊＊＊」、「運動療法」に対応する「若い頃に比べて体重増加は気になりませんか？全身運動なら水泳がお勧め！  △△△△スポーツ  ＴＥＬ  ０１２０−＊＊＊−＊＊＊」、及び「食事療法」に対応する「あなたの食事はバランスが取れていますか？サプリメントを試してみませんか？  □□□□ドラッグ  ＴＥＬ  ０１２０−＊＊＊−＊＊＊」が選択される。さらに、図２の右側の「ノベリティー」欄の「分類」の「医療行為」、「運動療法」及び「食事療法」夫々に対応して「内容」の情報が順番に選択される。その後、これらの内容がアドバイス情報検索手段５６から出力される。
【００３７】
日時関連情報データベース５８は時間情報と時間情報に対応した広告などのサービス情報を蓄積したもので、その内容を図３にあらわしている。
【００３８】
図３の左側から、「月／日」、「どんな日」、「どんな週」の各データを蓄積しており、さらに、既往症に関する月日に対応するデータを「既往症」欄に蓄積している。
【００３９】
サービス情報検索手段５９は、前記第一記憶手段５３の時間情報と生体情報とに基いて前記日時関連情報データベース５８から、対応するサービス情報を検索抽出し、出力する。
【００４０】
測定値履歴情報データベース６０は、使用者情報（ＩＤ）と、それに対応する過去の測定値の履歴情報を蓄積している。
【００４１】
傾向判定手段６１は、前記第一記憶手段５３に一時記憶されている時間情報、使用者情報（ＩＤ）及び生体情報、並びに測定値履歴情報データベース６０からの過去の測定値の履歴情報とを比較して、健康状態の傾向、「悪化」、「維持」、「改善」のいずれかを判定する。即ち、今回の尿糖の測定値と前回の尿糖の測定値を比較して、数値が小さくなっていると「改善」、同程度であると「維持」、大きくなっていると「悪化」と判定し、そのデータを出力する。
【００４２】
傾向コメント情報データベース６２は、健康状態の傾向情報を蓄積したもので、その内容を図４に示している。「レベル」欄には「陽性・擬陽性」と「陰性」のデータを、「状態」欄には、「悪化」、「維持」、「改善」のデータを、「コメント」欄には各「レベル」と「状態」に対応した内容のコメントデータを蓄積している。
【００４３】
傾向コメント情報検索手段６３は、アドバイス情報検索手段５６からの「陽性」、「擬陽性」または「陰性」の「判定」情報と、傾向判定手段６１から出力された判定結果の「悪化」、「維持」、「改善」の傾向情報とに基いて、傾向コメント情報データベース６２から適切なコメントを検索、抽出し、出力する。
【００４４】
例えば、アドバイス情報検索手段５６からの「判定」情報が「陰性」、傾向判定手段６１からの傾向情報が「悪化」の場合、図４の「レベル」が「陰性」、「状態」が「悪化」に対応するデータとして、「コメント」欄から「まだ正常域ですが、ちょっと気になる傾向です。生活習慣が乱れたりしていませんか？」のデータを選択し、出力する。
【００４５】
第二記憶手段６４は、アドバイス情報検索手段５６からのアドバイス情報、サービス情報検索手段５９からのサービス情報及び傾向コメント情報検索手段６３からの傾向情報を記憶する。
【００４６】
この第二記憶手段６４の各情報を送信手段５２に出力し、送信手段５２から各種情報が発信される。
【００４７】
また、データベースデータ更新手段６５は、図示しないシステム管理者の操作により、ネットワーク４０から前記各データベースのデータを適宜更新する。これはネットワーク４０を経由しないでサーバ５０に直接行っても良い。
【００４８】
本発明の第２の実施例としては、機能的には第１の実施例と同じであるが、第１の実施例と異なる点は、ネットワーク４０を介さないで、生体情報測定装置１０の本体内にサーバ５０の基本機能を全て搭載して、スタンドアロンで稼動するものである。
【００４９】
つまり、健康管理機能を備えた生体情報測定装置は既にあるが、これらに本発明のシステムを搭載することにより行う。
【００５０】
この場合、送受信手段１６、受信手段５１、送信手段５２は無くても良い。
【００５１】
前記各データベースのデータなど、データの更新は、生体情報測定装置１０の測定用の消耗品の定期配達に伴い、ＣＤ−ＲＯＭその他の各種記録メディアにとともに配達し、使用者が、生体情報測定装置１０に搭載したドライブから直接、または生体情報測定装置１０にパソコンを接続して、パソコンから間接的に更新するようにする。
【００５２】
この場合も、生体情報測定装置１０を含む本発明のシステムを、温水洗浄便座と一体に形成することにより、測定を習慣化することができ、健康管理を非常に容易に行うことができる。
【００５３】
以上の構成に基づいた生体情報を活用した健康管理システムのサーバ５０が行なう動作について、以下に詳細に説明する。
【００５４】
図５は、生体情報を活用した健康管理システムのサーバ５０を中心とした全体的な動作の流れを示す。
【００５５】
ネットワーク４０などから送られてきたデータを受信手段５１を経由して、第一記憶手段５３に一時的に記憶保持する。この場合、データは、生体情報測定装置１０における尿糖値などの生体情報データ及び測定時刻である。その他、使用者情報（ＩＤ）や測定地の情報を受信し、一時記憶しておくようにする。
【００５６】
測定地の情報を受信するのは、サービス情報を表示する際、使用者の便宜のため、生体情報測定装置１０の設置場所に近い病院や薬局のサービス情報を提供すると共に、対応する地図情報も生体情報測定装置１０に送信して出力可能とするためである。
【００５７】
図５の第一記憶手段５３の測定した年月日及び測定時刻の測定日時データから、図２の前記アドバイス情報データベース５４の食前・食後判定テーブル５５に基いて、使用者が食前に測定したのか、食後に測定したのかについて、自動判定を行う（７０、７１）。
【００５８】
また、尿糖の測定データに基いて、図２の前記アドバイス情報データベース５４の「尿糖」欄の「尿糖値」が決定され、この尿糖値と食前・食後の判定結果とを比較して、図２の「尿糖」欄の「判定」を行う（７２、７３）。
【００５９】
これらの判定結果に基いて、図２の「行為・サービス・商品」欄、「ノベリティー」欄の対応する情報を選択し、アドバイス情報として抽出し（７４）、第二記憶手段６４に記憶する。
【００６０】
即ち、図６のように、測定時は「食後か否か」、及び尿糖の判定は「陰性、陽性、擬陽性のいずれか」により、図２の前記アドバイス情報データベース５４の各内容が抽出され、その結果、図６のアドバイス情報出力フロー図の右側に例示しているような出力イメージ７５を形成する。この出力は、液晶画面に表示するようにする。あるいは、プリンタから印刷するようにしてもよい。
【００６１】
一方、第一記憶手段５３の使用者情報（ＩＤ）及び尿糖の測定データに基いて、傾向判定手段６１により、測定値履歴情報データベース６０から、使用者情報（ＩＤ）に対応する過去（前回測定時）の測定値の履歴情報とを増減比較して（８０）、健康状態の傾向として、「悪化」、「維持」、「改善」のいずれかを判定する（８１）。即ち、今回の尿糖の測定値と前回の尿糖の測定値を比較して、数値が小さくなっていると「改善」、同程度であると「維持」、大きくなっていると「悪化」と判定する。
【００６２】
傾向コメント情報検索手段６３により、アドバイス情報検索手段５６からの「陽性」、「擬陽性」または「陰性」の「判定」情報と、傾向判定手段６１による判定結果の「悪化」、「維持」、「改善」の傾向情報とから、傾向コメント情報データベース６２から適切なコメントを検索、抽出（８２）し、第二記憶手段６４に記憶する。
【００６３】
例えば、アドバイス情報検索手段５６からの「判定」情報が「陰性」、傾向判定手段６１からの傾向情報が「悪化」の場合、図４の「レベル」が「陰性」、「状態」が「悪化」に対応するデータとして、「コメント」欄から「まだ正常域ですが、ちょっと気になる傾向です。生活習慣が乱れたりしていませんか？」のデータを選択する。
【００６４】
また、第一記憶手段５３の測定日時データの測定年月日及び使用者情報（ＩＤ）に基いて、サービス情報検索手段５９により、日時関連情報データベース５８から測定年月日に対応したコメントや広告などの該当サービス情報を検索、抽出する（９０、９１）。
【００６５】
このとき、使用者情報（ＩＤ）に基いて、対応する既往症に関するサービス情報をも検索、抽出するようにしてもよい。その後、これらのサービス情報を第二記憶手段６４に記憶する。
【００６６】
即ち、図７のサービス情報出力フロー図のように、測定年月日により、図３の日時関連情報データベース５８の「どんな日」欄、及び「どんな週」欄の内容が選択、抽出される。さらに、使用者情報（ＩＤ）に対応して、予め既往症が登録されている場合は、図３の日時関連情報データベース５８の「既往症」欄の該当する既往症の内容が選択、抽出される。
【００６７】
その結果、図７の右側に例示しているように、定型情報として、図３の日時関連情報データベース５８の「どんな日」欄、及び「どんな週」欄の内容が上下に配設された出力イメージ９３が形成される。また、不定形情報として、図３の日時関連情報データベース５８の「既往症」欄の該当する既往症の内容が適宜選択され、出力イメージ９４が形成される。
【００６８】
出力されるに当たっての出力イメージの一例としては、全体として、上側の固定部分と下側の変動部分とに区分し、固定部分には、図６のアドバイス情報出力フロー図の右側に例示しているような出力イメージ７５を、変動部分には、その上側部に定型情報の出力イメージ９３を、変動部分の下側部に不定形情報の出力イメージ９４をそれぞれ配設し、一体化して出力するようにしている。この出力は、液晶画面に表示するようにしてもよいし、あるいは、プリンタから印刷するようにしてもよい。
【００６９】
以上の図５に示した流れは、一つの典型的な例であり、必ずしも上記の順序で上記の各プロセスが行なわれる必要はない。
【００７０】
次に、図示しない温水洗浄便座２０の操作用リモコン２１を使った例について、その操作手順を説明する。
【００７１】
図８は生体情報測定装置１０のリモコンの操作手順を示す流れ図である。
【００７２】
図９から図１４は、生体情報測定装置１０のリモコンを使った操作手順をあらわす説明図である。
【００７３】
本発明の健康管理システムの内、生体情報測定装置１０を温水洗浄便座２０と一体的に設ける。生体情報測定装置１０は、家庭、薬局、病院などに設置することを想定しているが、本実施例では、家庭内に設置してあるとして説明する。
【００７４】
図９のように、健康管理システムの前記出力手段１７としての液晶画面２３と小型プリンタを、図示しない温水洗浄便座２０を操作するリモコン２１と一体に設けている。
【００７５】
このリモコン２１には、生体情報測定装置１０としての尿糖測定装置の操作ボタン２２、尿糖値を測定にあたって使用するタッチパネル式の液晶画面２３を設けている。
【００７６】
以下、（  ）内の数字は、図８の流れ図の各ステップの番号をあらわすものとする。
【００７７】
図９の初期画面において（３１）、操作ボタン２２を押すと、図１０のように画面２３に生体情報測定装置１０の使用者の家族の名前が表示される（３３）。ここで、画面２３の使用者「山田太郎」を押すと（３４）、図１１の画面に変わる。次に、画面２３の「測定スタート」を押すと（３５）、生体情報測定装置１０が稼動し、画面２３は、図１２の画面に変わり、画面２３には「測定中」の表示がされる（３６）。尿糖値の測定が終了すると、生体情報測定手段１１は、測定結果の尿糖値と時計手段１４からの測定時刻の情報を取得し（３７）、図１３のように、画面２３には測定時刻「ＡＭ  ０９：００」と尿糖の測定結果「９０ｍｇ／ｄＬ」を表示する（３８）。ここで、関連するアドバイス情報が不要な場合は、画面２３の「終了」を押す。
【００７８】
図１３における画面２３の「送信」を押すと（４０）、生体情報測定手段１１からの尿糖の測定値、時計手段１４からの測定時間（測定年月日、測定時刻）のデータを、生体情報測定装置１０の送受信手段１６から送信する。
【００７９】
送信したデータを、インターネットなどのネットワーク４０を介してサーバ５０の受信手段５１が受信する。その後、処理結果のデータを、サーバ５０の送信手段５２から送信し、それを生体情報測定装置１０の送受信手段１６が受信した後、図１４のように、生体情報測定装置１０の出力画面２３に、アドバイス情報、サービス情報及び傾向コメントの各種情報を表示する（４１）。ここで、印刷が必要な場合は、「印刷」を押す（４２）と、リモコン２１に内臓された小型プリンタから画面の表示された内容を印刷（４３）する。印刷が不要な場合は、「終了」を押す（４４）。
【００８０】
ここで、一度、生体情報測定装置１０で、測定結果の尿糖値と測定時刻を表示して、図１３の画面２３の「送信」を押して、サーバ５０から関連するアドバイス情報、サービス情報及び傾向コメントの各種情報を得るようにしているが、図１２において、画面に「測定中」の表示がされている間に、自動でサーバ５０にアクセスし、関連するアドバイス情報、サービス情報及び傾向コメントの各種情報を得、画面２３に表示するようにしてもよい。
【００８１】
以上、本発明の実施形態を説明したが、これは本発明の説明のための例示であり、この実施形態のみに本発明の範囲を限定する趣旨ではない。従って、本発明は、その要旨を逸脱することなく、他の様々な形態で実施することが可能である。
【図面の簡単な説明】
【００８２】
【図１】本発明の一実施形態に従う健康管理システムの全体構成図である。
【図２】アドバイス情報データベースの内容を示す図である。
【図３】日時関連情報データベースの内容を示す図である。
【図４】傾向コメント情報データベースを示す図である。
【図５】本発明の健康管理システムの全体的な動作の流れを示す図である。
【図６】アドバイス情報出力フローを示す図である。
【図７】サービス情報出力フローを示す図である。
【図８】生体情報測定装置のリモコンの操作手順を示す流れ図である。
【図９】生体情報測定装置のリモコンを使った操作手順をあらわす説明図である。
【図１０】生体情報測定装置のリモコンを使った操作手順をあらわす説明図である。
【図１１】生体情報測定装置のリモコンを使った操作手順をあらわす説明図である。
【図１２】生体情報測定装置のリモコンを使った操作手順をあらわす説明図である。
【図１３】生体情報測定装置のリモコンを使った操作手順をあらわす説明図である。
【図１４】生体情報測定装置のリモコンを使った操作手順をあらわす説明図である。
【符号の説明】
【００８３】
１０  生体情報測定装置
１１  生体情報測定手段
１２  使用者特定手段
１３  使用者情報入力手段
１４  時計手段
１５  測定地情報出力手段
１６  送受信手段
１７  出力手段
４０  ネットワーク
５０  サーバ
５１  受信手段
５２  送信手段
５３  第一記憶手段
５４  アドバイス情報データベース
５５  食前・食後判定テーブル
５６  アドバイス情報検索手段
５８  日時関連情報データベース
５９  サービス情報検索手段
６０  測定値履歴情報データベース
６１  傾向判定手段
６２  傾向コメント情報データベース
６３  傾向コメント情報検索手段
６４  第二記憶手段
【図１】
2005284910.tif 000003
【図２】
2005284910.tif 000004
【図３】
2005284910.tif 000005
【図４】
2005284910.tif 000006
【図５】
2005284910.tif 000007
【図６】
2005284910.tif 000008
【図７】
2005284910.tif 000009
【図８】
2005284910.tif 000010
【図９】
2005284910.tif 000011
【図１０】
2005284910.tif 000012
【図１１】
2005284910.tif 000013
【図１２】
2005284910.tif 000014
【図１３】
2005284910.tif 000015
【図１４】
2005284910.tif 000016